(57)【要約】【課題】指示情報を例えばリンクとして所望のウェブページ等に埋込むことができる情報登録装置及びそれを含むシステムを提供する。【解決手段】動的情報を取得して記録し、この記録した動的情報の登録先を取得する。記録した動的情報について予め定められた再生方法で、再生を開始させる指示情報を生成し、当該指示情報を、登録先へ登録する情報登録装置である。【選択図】図１
2009031912.tif 000002
【特許請求の範囲】
【請求項１】
情報登録装置と、情報提供装置とを含む情報登録システムであって、
前記情報登録装置が、
動的情報を取得して記録する手段と、
前記記録した動的情報の登録先である情報提供装置を特定する情報を取得する手段と、
前記記録した動的情報について予め定められた再生方法で、再生を開始させる指示情報を生成する生成手段と、
前記指示情報を、前記登録先となった情報提供装置へ登録する登録手段と、
を含み、
前記情報提供装置が、
要求に応じて、提供対象情報を提供する手段と、
当該指示情報を、前記提供対象情報に含める手段と、
を含む情報登録システム。
【請求項２】
動的情報を取得して記録する手段と、
前記記録した動的情報の登録先を取得する手段と、
前記記録した動的情報について予め定められた再生方法で、再生を開始させる指示情報を生成する生成手段と、
前記指示情報を、前記登録先へ登録する登録手段と、
を含む情報登録装置。
【請求項３】
前記記録した動的情報を、前記予め設定された再生方法で再生可能な態様に変換する手段をさらに含み、
前記生成手段は、当該再生可能な態様に変換された動的情報の再生を開始させる指示情報を生成することを特徴とする請求項２に記載の情報登録装置。
【請求項４】
コンピュータを、
動的情報を取得して記録する手段と、
前記記録した動的情報の登録先を取得する手段と、
前記記録した動的情報について予め定められた再生方法で、再生を開始させる指示情報を生成する生成手段と、
前記指示情報を、前記登録先へ登録する登録手段と、
として機能させることを特徴とするプログラム。
【発明の詳細な説明】
【技術分野】
【０００１】
本発明は、情報登録システム、情報登録装置及びプログラムに関する。
【背景技術】
【０００２】
映像や音声などの動的な情報を収集して記録する装置がある。また記録された情報にキーワードの情報を付しておき、キーワードを用いて所望の情報を検索させる装置がある（特許文献１）。
【特許文献１】特開２００６−１２７５１８号公報
【発明の開示】
【発明が解決しようとする課題】
【０００３】
動的情報の再生開始を指示するリンクを、所望のウェブページ等に埋込むことができなかった。
【課題を解決するための手段】
【０００４】
請求項１記載の発明は、情報登録装置と、情報提供装置とを含む情報登録システムであって、前記情報登録装置が、動的情報を取得して記録する手段と、前記記録した動的情報の登録先である情報提供装置を特定する情報を取得する手段と、前記記録した動的情報について予め定められた再生方法で、再生を開始させる指示情報を生成する生成手段と、前記指示情報を、前記登録先となった情報提供装置へ登録する登録手段と、を含み、前記情報提供装置が、要求に応じて、提供対象情報を提供する手段と、当該指示情報を、前記提供対象情報に含める手段と、を含むこととしたものである。
【０００５】
請求項２記載の発明は、情報登録装置であって、動的情報を取得して記録する手段と、前記記録した動的情報の登録先を取得する手段と、前記記録した動的情報について予め定められた再生方法で、再生を開始させる指示情報を生成する生成手段と、前記指示情報を、前記登録先へ登録する登録手段と、を含むこととしたものである。
【０００６】
請求項３記載の発明は、請求項２に記載の情報登録装置であって、前記記録した動的情報を、前記予め設定された再生方法で再生可能な態様に変換する手段をさらに含み、前記生成手段は、当該再生可能な態様に変換された動的情報の再生を開始させる指示情報を生成することとしたものである。
【０００７】
請求項４記載の発明は、プログラムであって、コンピュータを、動的情報を取得して記録する手段と、前記記録した動的情報の登録先を取得する手段と、前記記録した動的情報について予め定められた再生方法で、再生を開始させる指示情報を生成する生成手段と、前記指示情報を、前記登録先へ登録する登録手段と、として機能させることとしたものである。
【発明の効果】
【０００８】
請求項１，２，４記載の発明によると、予め定められた再生方法で再生開始を指示する指示情報を生成するので、この指示情報を例えばリンクとして所望のウェブページ等に埋込むことができる。
【０００９】
請求項３記載の発明によると、動的情報が予め定められた再生方法で再生可能なように変換を行うことができる。
【発明を実施するための最良の形態】
【００１０】
本発明の実施の形態について図面を参照しながら説明する。本発明の実施の形態に係る情報登録システムは、図１に例示するように、情報登録装置１と、情報提供装置としてのウェブサーバ２とを含む。ここで情報登録装置１は、制御部１１と、記憶部１２と、操作部１３と、表示部１４と、マイク１５と、通信部１６とを含み、ネットワーク等の通信回線を介してウェブサーバ２に接続されている。
【００１１】
制御部１１は、ＣＰＵ（Central Processing Unit）等のプログラム制御デバイスであり、記憶部１２に格納されたプログラムに従って動作している。本実施の形態ではこの制御部１１が、動的情報として、利用者が情報登録装置１を用いて行ったプレゼンテーションの映像及び音声を記録する処理を行う。また、この制御部１１は、当該記録した動的情報の再生指示を、所定の態様でウェブサーバ２へ登録する処理を行う。この制御部１１の処理の内容の具体例については後に詳しく述べる。
【００１２】
記憶部１２は、ＲＡＭ（Random Access Memory）等の記憶素子を含む。この記憶部１２には、制御部１１が実行するプログラムが保持される。このプログラムは、例えば、ＤＶＤ−ＲＯＭ等のコンピュータ可読な記録媒体に格納されて提供され、当該記録媒体から複写されて記憶部１２に格納されてもよい。また、本実施の形態の記憶部１２は、制御部１１のワークメモリとしても動作する。
【００１３】
操作部１３は、マウスやキーボード等である。操作部１３は、利用者からの操作を受け入れて、当該行われた操作の内容を表す情報を制御部１１に出力する。表示部１４は、ディスプレイ等であり、制御部１１から入力された指示に従って情報を表示する。マイク１５は、周辺の音声をディジタルの音声データに変換し、制御部１１に出力している。通信部１６は、ネットワークインタフェース等であり、ネットワーク等の通信手段を介して情報の送受を行う。
【００１４】
ここで、本実施の形態の制御部１１の動作について述べる。本実施の形態における動的情報は、例えば図２に例示するように、複数の情報要素Ｅ１，Ｅ２，…を少なくとも一つ含む。各情報要素Ｅｉには、動的情報を生成した装置の識別子（装置ＩＤ）と、動的情報ごとに固有の識別子（動的情報ＩＤ）と、音声情報Ａｉと、静止画情報Ｓｉと、再生時刻の情報Ｔｉとを含む。この図２で示した例は時系列に変化する情報を含む動的情報の一例であり、これに限らずに動画情報などを含んでもよいし、静止画情報を含まなくてもよい。
【００１５】
例えば本実施の形態の制御部１１は、利用者の指示に従って、プレゼンテーションプログラムの処理として、予め定められた複数の静止画情報を、指示のあるごとに切り替えて表示する処理を行う。この間、本実施の形態の制御部１１は、プレゼンテーションの開始の指示があってから、図示しないタイマを起動して、経過時間を計時するとともに、マイク１５が出力する音声データを記憶部１２に格納する。
【００１６】
また当初、ｉ番目の静止画情報Ｓｉの表示の指示があったときや終了の指示があったときに、それまでに表示されていたｉ−１番目（ｉ＝１のときは記録しない）の静止画情報Ｓｉ−１と、当該ｉ−１番目の静止画情報を表示していたときに記録された音声の情報Ａｉ−１とを含む情報要素Ｅｉ−１を生成し、記憶部１２に格納する。このとき当該情報要素Ｅｉ−１には、情報要素Ｅｉ−１の生成時点でタイマが計時している時刻の情報Ｔｉ−１を含めて格納する。これにより上述の動的情報が生成されることとなる。なお、終了の指示があったときに記録する情報要素（後続の情報要素のないもの）については、動的情報の終了を表す末端符号を付しておくこととしてもよい。
【００１７】
制御部１１は、また、この動的情報を登録する処理を実行する。この登録処理を実行する制御部１１は、機能的には、図３に示すように、登録先取得部２１と、指示情報生成部２２と、登録処理部２３とを含んで構成される。
【００１８】
登録先取得部２１は、動的情報の登録先を特定する情報を、利用者から取得する。例えば、この登録先取得部２１は、プレゼンテーションの開始の指示があったときに、利用者に登録先を問い合わせることとしてもよい。この場合、当該問い合わせの時点で利用者から操作部１３を介して、動的情報の登録先を特定する情報を受け入れることとなる。
【００１９】
指示情報生成部２２は、処理の対象となった動的情報について、当該動的情報を再生するための指示を生成する。例えば、動的情報に含まれる静止画情報や音声情報を再生するためのアプリケーションを起動し、静止画情報や音声情報を逐次的に再生する指示を生成する。
【００２０】
例えば、この指示情報生成部２２は、処理の対象となった動的情報に含まれる各情報要素Ｅ１，Ｅ２，…Ｅｎ内の静止画情報や音声情報を順番に含むプレイリストを生成する。そして、当該プレイリストに従って再生を行う再生プログラムを特定する情報と、このプレイリストの格納場所を表す情報とを含む指示情報を生成する。この指示情報の詳しい具体的な例については後に述べる。
【００２１】
登録処理部２３は、指示情報生成部２２が生成した指示情報を登録先として指定されたウェブサーバ２へ登録する。具体的には、ウェブサーバ２が提供するウェブページに、指示情報のリンクを埋め込む処理を行う。この処理は、ウェブサーバ２側の動作によっても異なるが、例えば、ウェブサーバ２が提供するウェブページのＨＴＭＬ（Hyper Text Markup Language）データを直接書き換えることでリンクを埋め込んでもよい。また、ウェブサーバ２がＣＧＩ（Common Gateway Interface）プログラムなどを利用して、新規のリンク登録要求を受け入れ、自己が提供するＨＴＭＬデータを動的に変更する場合は、この登録処理部２３は、ウェブサーバ２へ新規のリンク登録要求を送出すればよい。
【００２２】
ウェブサーバ２は、一般的なウェブサーバとしての動作を行い、要求されたウェブページの情報を提供する。また、このウェブサーバ２は、ネットワーク等の通信手段を介して、情報の登録先となるウェブページを特定する情報（登録先のＵＲＬ（Uniform Resource Locator）等）とともに、登録の対象となる情報の入力を受けて、当該登録の対象となる情報を登録先のＵＲＬで特定されるウェブページに登録する処理を行ってもよい。
【００２３】
次に、本実施の形態の情報登録装置１の動作について図４を参照しながら説明する。利用者が情報登録装置１を用いてプレゼンテーションなどを行うと、情報登録装置１は当該プレゼンテーションで提示された画像やプレゼンテーションの間に話された音声などを動的情報として記録する。
【００２４】
情報登録装置１は、こうして動的情報を取得するとともに、当該動的情報の登録先のＵＲＬを取得する（Ｓ１）。ここで登録先のＵＲＬは、ウェブサーバ２が提供するウェブページの一つのＵＲＬであるとする。
【００２５】
そして、動的情報を再生させるための再生情報を生成する（Ｓ２）。例えば、動的情報を再生する端末側のプログラムが、プレイリストとして、動的情報要素の格納場所（ＵＲＬ等）の一覧を参照するものとする。すなわち、当該プレイリストに含まれるＵＲＬから逐次、次に再生する静止画情報や音声情報を含む動的情報要素を取得して再生の処理を行うとする。この場合、情報登録装置１は、ここで動的情報に含まれる動的情報要素の格納先を表すＵＲＬを生成し、当該ＵＲＬの一覧を、それぞれに対応する動的情報要素の再生時間順に並べ替えて（Ｔｉの昇順に並べ替えて）、プレイリストを生成する。さらに、情報登録装置１は、このプレイリストに再生プログラムに対応した拡張子を付したファイル名を付しておく。
【００２６】
情報登録装置１は、動的情報要素を、生成したＵＲＬへ格納する処理を行う（Ｓ３）。ここで動的情報要素の格納先であるＵＲＬは、ウェブサーバ２内を指すものであってもよいし、情報登録装置１内の格納場所を指すものであってもよい。さらに、図示しないファイルサーバ内を指すものであっても構わない。
【００２７】
次に、情報登録装置１は、登録先のＵＲＬの一部にプレイリストに付したファイル名を連接し（Ｓ４）、この連接後に得られたＵＲＬへ、プレイリストのデータを格納する（Ｓ５）。本実施の形態では、例えば登録先のＵＲＬの末尾のファイル名（ＨＴＭＬデータのファイル名）に代えて、プレイリストに付したファイル名を連接すればよい。
【００２８】
また、情報登録装置１は、当該処理Ｓ４で得たＵＲＬへのリンクを、登録先のＵＲＬに登録するよう、ウェブサーバ２へ要求する（Ｓ６）。
【００２９】
これにより登録先のＵＲＬから得られるウェブページには、プレイリストへのリンクが挿入される。動的情報の再生を希望する再生希望者は、予め自己が用いる端末に、動的情報を再生するプログラムをインストールしておく。そして一般的なウェブブラウザを用いて、当該ウェブページを取得して表示し、挿入されたプレイリストのリンクをクリックする。すると、このプレイリストのファイル名の拡張子に予め関連づけられている再生用のプログラムが実行され、取得されたプレイリストに含まれる情報を利用して、指定された動的情報の再生が行われる。
【００３０】
また、再生プログラムを専用のウェブアプリケーションとして用意している場合には、ウェブアプリケーションへのＵＲＬに引数として、プレイリストのＵＲＬを連結して登録することにより、ウェブアプリケーションがそのプレイリストを読み込み、そこに記述されている画像と音声を順次取得し再生することができる。例えばhttp://aaa.bbb.ccc/slideplayer.swf?ddd.playlistへのリンクをクリックした場合、http://aaa.bbb.ccc/にあるslideplayer.swfというフラッシュ形式のプログラムが、プレイリストであるddd.playlistを読み込み、その中に記述されている画像と音声を順次再生する。
【００３１】
ウェブサーバ２側では、例えば、登録先となり得る（登録を受け入れる）ウェブページのＨＴＭＬデータに、予め登録位置を指定するタグを含めておく。例えば、このタグは「<LinkPoint>」のようなタグとしておき、ウェブページを表示する際には描画されないようにしておくこととしてもよい。
【００３２】
ウェブサーバ２は、登録先ＵＲＬを指定する情報とともに、登録するリンクの情報を受け入れると、指定された登録先ＵＲＬで特定されるウェブページから上記所定のタグ「<LinkPoint>」を検索する。そして、当該検索した「<LinkPoint>」タグの直前または直後のいずれか予め指定された位置へ指定されたリンクを挿入する。
【００３３】
またウェブサーバ２は、リンクとともに、当該リンクに関連づける文字列の入力を受け入れて、当該受け入れた文字列にリンクを設定してもよい。例えば、「講演：基礎（１）」のような文字列とともに、プレイリストのＵＲＬ「http://aaa.bbb.ccc/ddd.playlist」が受け入れられた場合、
<a href="http://aaa.bbb.ccc/ddd.playlist">講演：基礎（１）</a>
のようなデータをＨＴＭＬデータに含め、プレイリストのＵＲＬへのリンクを、与えられた文字列に設定する。
【００３４】
このような文字列は、情報登録装置１側において、例えば動的情報の取得時に利用者から受け入れることとしてもよい。
【００３５】
一例として、情報登録装置１は、動的情報の元となるプレゼンテーションが行われる際に、図５に示すようなインタフェース画面を提示して、付加的な情報の入力を求めてもよい。利用者は、ここで会議名、会議の開催場所、参加者、登録先のＵＲＬ（既定の候補のうちから選択させることとしてもよい）、アカウント名及びパスワードなどの認証情報、議事録などのメモといった情報を入力する。これらの入力された情報は、動的情報に含めて記録される。これらの入力された情報は、既に述べたように、リンクを設定する文字列として用いられてもよいし、リンクとともに表示される文字列となってもよい。例えば、会議名に対してリンクを設定し、その他、議事録などの情報については、リンクとともに表示するようにしてもよい。
【００３６】
さらに、ここまでの説明では、情報登録装置１は、動的情報要素についてはそのまま格納して、再生プログラムの処理対象とすることとした。しかしながら、例えば再生プログラムが動的情報要素をそのまま再生できるものではない場合は、動的情報要素に基づいて、再生可能な形式のデータを生成してもよい。
【００３７】
一例として再生プログラムが動画映像を再生するプログラムなどである場合、情報登録装置１は処理の対象となった動的情報要素に含まれる静止画情報と、音声情報と、再生の時刻の情報とを参照して動画映像を生成する。一例として再生開始から時刻Ｔ１まで、静止画情報Ｓ１を表示しつつ音声情報Ａ１を再生し、時刻Ｔ１からＴ２までは静止画情報Ｓ２を表示しつつ音声情報Ａ２を再生し…というような動画映像を生成する。
【００３８】
そしてこの場合、当該生成した動画映像を、再生の対象として所定の格納先へ格納し、当該格納場所を表すＵＲＬを含むリンクを指示情報として、登録先のＵＲＬで特定されるウェブページへ追加させることとなる。
【００３９】
以上の例によれば、指示情報を例えばリンクとして所望のウェブページ等に埋込むことができる。
【図面の簡単な説明】
【００４０】
【図１】本発明の実施の形態に係る情報登録システムの例を表す構成ブロック図である。
【図２】本発明の実施の形態に係る情報登録装置が取得する動的情報の例を表す説明図である。
【図３】本発明の実施の形態に係る情報登録装置の例を表す機能ブロック図である。
【図４】本発明の実施の形態に係る情報登録システムの動作例を表すフローチャート図である。
【図５】本発明の実施の形態に係る情報登録装置が提示するインタフェース画面の例を表す説明図である。
【符号の説明】
【００４１】
１  情報登録装置、２  ウェブサーバ、１１  制御部、１２  記憶部、１３  操作部、１４  表示部、１５  マイク、１６  通信部、２１  登録先取得部、２２  指示情報生成部、２３  登録処理部。
【図１】
2009031912.tif 000003
【図２】
2009031912.tif 000004
【図３】
2009031912.tif 000005
【図４】
2009031912.tif 000006
【図５】
2009031912.tif 000007